(57)【要約】  簡素な構成で、撮影時の像ぶれ補正機能と沈胴時の光軸からの退避を可能とし省エネに優れたレンズ鏡筒及びそれを用いた撮像装置を提供する。像ブレ補正時に、移動体１２２が支軸１２５に対して光軸に直交する面内で回動及び摺動し、沈胴時に、移動体１２２が支軸１２５回りに大きく回動させるので、支軸１２５を共通に用いることで、駆動される構成が簡素化され、且つその質量が小さくなることで、駆動時の消費電力が低減され、省エネを図ることができる。
2014156632.tif 000002
【特許請求の範囲】
【請求項１】
像ぶれを補正する補正レンズ群を含む複数のレンズ群と、
光軸方向に移動し沈胴可能となされた移動鏡筒と、
前記移動鏡筒の外側に配置された固定筒と、
前記移動鏡筒に設けられた支軸と、
前記支軸に対して回動及び摺動させて前記補正レンズ群を光軸に直交する面内で移動可能に保持するレンズ枠と、
像ぶれ補正時に、前記レンズ枠を前記光軸に直交する面内で移動させる第１駆動部と、  沈胴時に、前記レンズ枠を前記支軸回りに、前記像ぶれ補正時よりも大きく回動させる第２駆動部と、を有することを特徴とするレンズ鏡筒。
【請求項２】
前記第１駆動部は、電磁力により駆動するものであり、前記第２駆動部は機械的係合により駆動するものであることを特徴とする請求項１に記載のレンズ鏡筒。
【請求項３】
沈胴時に、前記レンズ枠は前記移動鏡筒の外周からはみ出すことを特徴とする請求項１又は２に記載のレンズ鏡筒。
【請求項４】
請求項１〜３のいずれかに記載のレンズ鏡筒と、前記レンズ群により形成された画像を光電変換する撮像素子と、を有することを特徴とする撮像装置。
【発明の詳細な説明】
【技術分野】
【０００１】
本発明は、レンズ鏡筒及び撮像装置に関し、特に像ぶれ補正が可能であって沈胴するレンズ鏡筒及びそれを用いた撮像装置に関する。
【背景技術】
【０００２】
沈胴式のレンズ鏡筒としては、収納時における光軸方向長をより短くするため、沈胴時に一部のレンズ群を光軸外に退避させるものがある。一方、撮影時の手ぶれを補正すべく、像ぶれ補正レンズ群を光軸直交方向に駆動できるようにしたレンズ鏡筒も知られている。このような沈胴機能と手ぶれ補正機能を併せ持つレンズ鏡筒が、特許文献１に開示されている。【０００３】
特許文献１に示すレンズ鏡筒においては、撮影状態で第３レンズ群ＬＧ３と第４レンズ群ＬＧ４が光軸方向に離間して位置し、第３レンズ群ＬＧ３を保持する第２ステージを、第１ステージ３０上で光軸直交方向に駆動することで、像ぶれ補正を行っている。一方、収納時には、第１ステージ３０に対して第２ステージ３１を光軸直交方向（Ｙ方向）に移動させ、光軸から離脱移動した第３レンズ群ＬＧ３と、光軸Ｏ上に残る第４レンズ群ＬＧ４をＹ方向に重ねて位置させることで、光軸方向長を短縮化している。
【先行技術文献】
【特許文献】
【０００４】
【特許文献１】特開２０１１−２１５３８９号公報
【特許文献２】特許第４８３０５１２号明細書
【発明の概要】
【発明が解決しようとする課題】
【０００５】
しかしながら特許文献１の構成では、像ぶれ補正時に、Ｘ方向においては第１ステージ３０と第２ステージ３１とを一体で移動させるため、駆動機構が複雑で大がかりなものとなり、また駆動電力が大きくなって省エネが図れないという問題がある。【０００６】
一方、特許文献２には、沈胴時にブレ補正レンズ群室１９を、振動枠１７の回転軸回りに揺動させることで、光軸直交方向に退避させる構成が開示されている。しかるに、像ぶれ補正時は、振動枠１７を固定枠１６に対して光軸直交方向に駆動する構成であるから、特許文献１と同様に、駆動機構が大がかりなものとなり、また駆動電力が大きくなって省エネが図れないという問題がある。【０００７】
本発明は、上述の課題を解決することを目的としたものであり、簡素な構成で、撮影時の像ぶれ補正と沈胴時の光軸からの退避を可能とし、省エネに優れたレンズ鏡筒及びそれを用いた撮像装置を提供することを目的とする。
【課題を解決するための手段】
【０００８】
本発明によるレンズ鏡筒は、
像ぶれを補正する補正レンズ群を含む複数のレンズ群と、
光軸方向に移動し沈胴可能となされた移動鏡筒と、
前記移動鏡筒の外側に配置された固定筒と、
前記移動鏡筒に設けられた支軸と、
前記支軸に対して回動及び摺動させて前記補正レンズ群を光軸に直交する面内で移動可能に保持するレンズ枠と、
像ぶれ補正時に、前記レンズ枠を前記光軸に直交する面内で移動させる第１駆動部と、  沈胴時に、前記レンズ枠を前記支軸回りに、前記像ぶれ補正時よりも大きく回動させる第２駆動部と、を有することを特徴とする。【０００９】
本発明によれば、第１駆動部が、像ぶれ補正時に、レンズ枠を支軸に対して光軸に直交する面内で移動させ、第２駆動部が、沈胴時に、レンズ枠を支軸回りに、像ぶれ補正時よりも大きく回動させるので、支軸を共通に用いることで、駆動構成を簡素化でき、さらにその質量が小さくなることで、駆動時の消費電力が低減され、さらには、沈胴時の鏡筒の短縮化を図ることができる。【００１０】
本発明による撮像装置は、上述のレンズ鏡筒と、前記レンズ群により形成された画像を光電変換する撮像素子と、を有することを特徴とする。
【発明の効果】
【００１１】
本発明によれば、簡素な構成で、撮影時の像ぶれ補正機能と沈胴時の光軸からの退避を可能とし省エネに優れたレンズ鏡筒及びそれを用いた撮像装置を提供することができる。
【図面の簡単な説明】
【００１２】
【図１】本実施形態に係るレンズユニットを備えた撮像装置の一例であるデジタルカメラの外観図で、（ａ）はデジタルカメラの前面図、（ｂ）は背面図である。
【図２】本実施形態にかかるレンズ鏡筒を含むレンズユニット１００の斜視図であり、撮影時の状態を示す。
【図３】本実施形態にかかるレンズ鏡筒を含むレンズユニット１００の斜視図であり、沈胴時の状態を示す。
【図４】図２の構成をIV-IV線で切断して矢印方向に見た図である。
【図５】沈胴時の状態を示す同方向の断面図である。
【図６】変倍時のレンズ群の軌跡を示す図である。
【図７】図７（ａ）は、図４の構成をA-A線で切断して矢印方向に見た図であり、図７（ｂ）は、図４の構成をB-B線で切断して矢印方向に見た図であり、撮像時の状態を示す。
【図８】図８（ａ）は、沈胴時の状態を示す図７(ａ)と同様な断面図であり、図８（ｂ）は、沈胴時の状態を示す図７(ｂ)と同様な断面図である。
【図９】図９（ａ）は、図７（ａ）から主要部品のみを取り出した図であり、（ｂ）は、図７（ｂ）から主要部品のみを取り出した図であり、（ｃ）は、（ｂ）の構成を矢印Ｃ方向に見た図であり、（ｄ）は、（ｂ）の構成を矢印ＤＣ方向に見た図である。
【図１０】図１０（ａ）は、沈胴時に移動体を退避させる機構を示す斜視図であり、（ｂ）は、断面図である。
【発明を実施するための形態】
【００１３】
以下、本発明による実施形態を、図面を参照して説明する。図１は、本実施形態に係るレンズ鏡筒と撮像素子を備えた撮像装置の一例であるデジタルカメラの外観図である。図１（ａ）は、デジタルカメラ１の前面図であり、図１（ｂ）は背面図である。
【００１４】
図１（ａ）（ｂ）に示す様に、デジタルカメラ１は、ズームレンズを保持するレンズ鏡筒と撮像素子を有する撮像部２、及び、カメラ本体部３よりなる。
【００１５】
撮像部２は、後述する実施例に示すような変倍動作可能なズームレンズを保持するレンズ鏡筒及びＣＣＤ、ＣＭＯＳ等の固体撮像素子からなり、レンズ鏡筒内のズームレンズを介して結像された被写体像を固体撮像素子で画像信号に変換する。
【００１６】
カメラ本体部３は、ＬＣＤ（Ｌｉｑｕｉｄ Ｃｒｙｓｔａｌ Ｄｉｓｐｌａｙ；液晶表示素子）からなるＬＣＤ表示部６、ＥＶＦ（Ｅｌｅｃｔｒｏｎｉｃ Ｖｉｅｗ Ｆｉｎｄｅｒ；電子ビューファインダ）７、デジタルカメラ１を図示しないパーソナルコンピュータに接続する外部接続端子を有しており、撮像部２で取り込まれた画像信号に所定の信号処理を施し、ＬＣＤ表示部６やＥＶＦ７への画像表示、不図示のメモリカードなどの記録媒体への画像記録、あるいはパーソナルコンピュータへの画像の転送といった処理を行う。
【００１７】
カメラ本体部３の前面には、上部適所にフラッシュ発光部４が設けられている。また、カメラ本体部３の背面には撮影画像の表示や記録画像の再生表示を行うＬＣＤ表示部６とＥＶＦ７が設けられている。
【００１８】
カメラ本体部３の上面には、シャッタボタン５と、シャッタボタン５の近くに「記録モード」と「再生モード」とを切換設定する、不図示の撮影モード切換スイッチが設けられている。記録モードは、撮影待機状態から露光制御のプロセスを経て撮影にいたる写真撮影を行うモードであり、再生モードは、メモリカードに記録された撮影画像をＬＣＤ表示部６やＥＶＦ７に再生表示するモードである。
【００１９】
カメラ本体部３の背面には、再生画像のコマ送りや、撮影時にズーム操作を行うための再生コマ送りスイッチ／ズームスイッチ９が設けられている。再生コマ送りスイッチ／ズームスイッチ９における再生画像のコマ送りとは、カメラを再生モードに設定しメモリカードに記録された画像をコマ番号とともにＬＣＤ表示部６に順次表示する様にしたものである。なお、ＬＣＤ表示部６への画像表示を昇順方向（撮影順の方向）若しくは降順方向（撮影順と逆の方向）に変更指示することも可能である。また、撮影時のズーム操作は、再生コマ送りスイッチ／ズームスイッチ９を操作することにより、ズームレンズである撮像光学系をテレ方向若しくはワイド方向に変倍させる。
【００２０】
さらに、カメラ本体部３の背面には、画像表示を行うためのＬＣＤ表示部６とＥＶＦ７とを選択するＥＶＦ切換スイッチ８が設けられている。
【００２１】
また、カメラ本体部３の底面内部には、デジタルカメラ１の動作用電源としての電池（図示せず）が設けられている。
【００２２】
図２、３は、本実施形態にかかるレンズ鏡筒を含むレンズユニット１００の斜視図であり、図２は撮影時の状態を示し、図３は沈胴時の状態を示す。図４は、図２の構成をIV-IV線で切断して矢印方向に見た図であり、撮影時の状態を示し、図５は沈胴時の状態を示す同方向の断面図である。
【００２３】
本実施形態にかかるレンズユニット１００を、３群構成のズームレンズを例にして説明する。レンズユニット１００は、物体側から順に第１レンズ群Ｌ１、第２レンズ群（補正レンズ群）Ｌ２、第３レンズ群Ｌ３から構成されている。そして、第１レンズ群Ｌ１、第２レンズ群Ｌ２、第３レンズ群Ｌ３は互いの群間距離を変化させながら光軸Ｏの方向に移動してズーミングを行う。また、第３レンズ群Ｌ３は独立して光軸Ｏの方向に移動してフォーカシングも行う。
【００２４】
図４を参照して、レンズユニット１００の概略構成を説明する。カメラ本体部３に固定される地板１０１は、中央に開口１０１ａを有し、その物体側にＩＲカットフィルタ１０２を保持している。地板１０１には、固定筒１０４が取り付けられている。固定筒１０４の内周面には、不図示のカム溝と直進案内溝が設けられている。
【００２５】
第１回転筒１０５は、固定筒１０４の内径側に収納された筒体であり、図示しないアクチュエータによって、像側外周に設けた不図示のギヤ部を介して回転力を得て固定筒１０４に対して回転し、外面に設けられた不図示のカムピンと、上述のカム溝との係合により光軸方向に移動するようになっている。
【００２６】
第１回転筒１０５の内周には、不図示の回転伝達キーと、第２回転筒１０９のカムピンが貫通する貫通穴が設けられている。第１回転筒１０５の内側に設けた第１直進案内１０６は、第１回転筒１０５とバヨネット結合しており、固定筒１０４の直進案内溝に係合して回転せずに、第１回転筒１０５と共に光軸方向に移動するようになっている。第１直進案内１０６の内周には、第２直進案内１０７と係合する直進案内溝と、第２回転筒１０９のカム溝と、直進キーリング１１０用の直進案内溝が形成されている。
【００２７】
第１直進案内１０６の内側に、第２直進案内１０７が設けられており、第２回転筒１０９とバヨネット結合しており、回転せずに、第２回転筒１０９とともに光軸方向に移動するようになっている。更に第２直進案内１０７の内側に、第１レンズ群Ｌ１を保持する第１保持筒１０８が係合する直進案内溝が設けられている。
【００２８】
第１保持筒１０８は、第２直進案内１０７の直進案内溝により回転せず、第２回転筒１０９の外周のカム溝に係合することで、光軸方向に移動するようになっている。
【００２９】
第１保持筒１０８の内側には、第２回転筒１０９が設けられている。第２回転筒１０９は、端部外周から突出させたフォロワピン部を、第１回転筒１０５の内周に形成した溝に係合させており、回転筒１０５と共に回転するようになっている。又、第１直進案内１０６とカム係合することで、光軸方向に移動するようになっている。第２回転筒１０９は、直進キーリング１１０とバヨネット結合している。第２回転筒１０９の内周には、第２保持筒１１１を駆動するためのカムが形成されている。
【００３０】
直進キーリング１１０は、第１直進案内１０６の直進案内溝により回転せず、第２回転筒１０９とバヨネット結合することで、光軸方向に一体的に移動するようになっている。
【００３１】
第２回転筒１０９の内側には、第２レンズ群Ｌ２を保持する第２保持筒（移動鏡筒）１１１が設けられている。第２保持筒１１１は、直進キーリング１１０と係合することで回転せず、第２回転筒１０９とカム係合することで、光軸方向に移動するようになっている。
【００３２】
第２保持筒１１１の物体側には、シャッタ機構１１２が設けられている。第３レンズ群Ｌ３を保持する第３保持筒１１３は、不図示のステッピングモータ等により、他のレンズ群とは独立して光軸方向に移動可能となされている。
【００３３】
上述の構成により、第１保持筒１０８に保持された第１レンズ群Ｌ１と、第２レンズ群Ｌ２を保持する第２保持筒１１１とは、第１回転筒１０５が回転することで、広角端と望遠端との間の変倍に応じて、図６に示す線図に従って群間距離を変更可能に光軸方向に移動し、第３レンズ群Ｌ３を保持する第３保持筒１１３は、ステッピングモータ等により独立して図６に示す線図に従って群間距離を変更可能に光軸方向に移動するようになっている。一方、沈胴時には、第３保持筒１１３が、地板１０１に接近するように移動させられ、第１回転筒１０５が逆方向に回転することで、第１保持筒１０８と、第２保持筒１１１と、が、地板１０１に接近するように移動する。このとき、第２保持筒１１１に保持された第２レンズ群Ｌ２は、光軸直交方向に退避することで、第１保持筒１０８と第３保持筒１１３との光軸方向の間隔を狭めることが出来、よりコンパクトな収納が可能になる。以下、第２保持筒１１１に保持された第２レンズ群Ｌ２を光軸直交方向に退避させる構成について説明する。
【００３４】
図７（ａ）、図８（ａ）は、図４の構成をA-A線で切断して矢印方向にシャッタ機構１１２を外して見た図であり、図７（ｂ）、図８（ｂ）は、図４の構成をB-B線で切断して矢印方向に見た図であり、図７は撮像時の状態を示し、図８は沈胴時の状態を示す。図９（ａ）は、図７（ａ）から主要部品のみを取り出した図であり、図９（ｂ）は、図７（ｂ）から主要部品のみを取り出した図である。尚、説明のため、図の上下方向をＹ方向とし、左右方向をＸ方向とする。
【００３５】
図９（ａ）に示すように、補正レンズ群である第２レンズ群Ｌ２を保持する移動体１２２の板部１２２ｂには、板厚が厚いボス部１２２ｅが形成され、その中央に長孔１２２ｆが形成されている。この長孔１２２ｆが、第２保持筒１１２に植設された支軸１２５と係合している。光軸方向に延在する支軸１２５は、長孔１２２ｆの幅方向（図示Ｙ方向）で嵌合して長孔１２２ｆとはガタがなく、長孔１２２ｆの長手方向（図示Ｘ方向）には、ガタ分だけ摺動可能となっている。すなわち移動体１２２は、支軸１２５を中心に回動及び長手方向に摺動させることができるようになっている。
【００３６】
図７、８に示すように、円筒状の第２保持筒１１２の内周に両端を取り付けた丸棒状の２本のガイド軸１２０、１２１が、光軸に直交する面内に軸線をそれぞれ有するように配置されている。第１のガイド軸１２０は、Ｙ方向に延在しており、第２のガイド軸１２１は、第１のガイド軸１２０に対して鋭角で交差するよう配置されている。
【００３７】
ガイド軸１２０、１２１の物体側に、移動体（レンズ枠）１２２が配置されている。移動体１２２は、第２レンズ群Ｌ２を保持する筒部１２２ａと、筒部１２２ａの端部から一方の側にのみ径方向外方に延在する板部１２２ｂとから一体的に形成されている。蝶の羽根形状である板部１２２ｂは、一方の羽根に相当する第１領域１２２ｃの矩形開口内に、第１マグネットＭＧ１が配置され、他方の羽根に相当する第２領域１２２ｄの矩形開口内に、第２マグネットＭＧ２が配置されている。
【００３８】
更にガイド軸１２０、１２１の物体側に、第２保持筒１１１にコイルＣＬ１、ＣＬ２が取り付けられている。図７に示す撮像時には、第１コイルＣＬ１が第１マグネットＭＧ１に光軸方向に対向する位置になり、第２コイルＣＬ２が第２マグネットＭＧ２に光軸方向に対向する位置になる。第１コイルＣＬ１の近傍に、第１コイルＣＬ１と第１マグネットＭＧ１との相対変位量を検出する第１ホール素子ＨＥ１が設けられ、第２コイルＣＬ２の近傍に、第２コイルＣＬ２と第２マグネットＭＧ２との相対変位量を検出する第２ホール素子ＨＥ２が設けられている。移動体１２２に配置された第１マグネットＭＧ１と第２マグネットＭＧ２と、第２保持筒１１２に配置された第１コイルＣＬ１と第２コイルＣＬ２とで第１駆動部が構成されている。この第１駆動部の第１コイルＣＬ１と第２コイルＣＬ２への通電制御により、レンズ枠を支軸１２５を中心に回動及び長手方向に摺動させて、光軸に直交する面内で移動させ、像ぶれ補正が行われる。
【００３９】
移動体１２２の板部１２２ｂには、第１のスライダ部１２３、第２のスライダ部１２４が設けられている。第１のスライダ部１２３は、図９（ｄ）に示すように、一対の側面部１２３ａ、１２３ｂと、側面部１２３ａ、１２３ｂを一方の側で連結する連結部１２３ｃからなる断面コ字状であり、側面部１２３ａ、１２３ｂの対向面には、滑動性の良い素材からなる半円筒状の滑り軸受１２３ｄ、１２３ｅが形成されている。滑り軸受１２３ｄ、１２３ｅの頂部により、第１のガイド軸１２０に対し板部１２２ｂはスライド可能に保持されている。
【００４０】
第２のスライダ部１２４も同様に、図９（ｃ）に示すように、一対の側面部１２４ａ、１２４ｂと、側面部１２４ａ、１２４ｂを一方の側で連結する連結部１２４ｃからなる断面コ字状であり、側面部１２４ａ、１２４ｂの対向面には、滑動性の良い素材からなる半円筒状の滑り軸受１２４ｄ、１２４ｅが形成されている。滑り軸受１２４ｄ、１２４ｅの頂部により、第２のガイド軸１２１に対し板部１２２ｂがスライド可能に保持されている。つまり、移動体１２２は、ガイド軸１２１、１２２により第２保持筒１１１に保持され、且つ光軸直交方向にスライド移動可能に支持されている。
【００４１】
図９（ｂ）に示すように、移動体１２２は、筒部１２２ａから径方向外方に長く突出した舌部１２２ｇを有している。舌部１２２ｇの物体側が第１スライダ部１２３となっており、すなわち舌部１２２ｇの物体側が側面部１２３ａを構成する。舌部１２２ｇの像側面には、２つの突起１２２ｈ、１２２ｉが間隔を開けて形成されている。
【００４２】
図１０（ａ）は、沈胴時に移動体１２２を退避させる機構を示す斜視図であり、（ｂ）は断面図である。図１０（ｂ）に示すように、支軸１２５と同軸の段付きの円筒部１１１ｂの周囲に、駆動体１２６が回動可能に配置されている。駆動体１２６は、円筒部１１１ｂに回転可能に嵌合するリング部１２６ａと、リング部１２６ａから放射状に突き出した長棒１２６ｂと短棒１２６ｃとを有する。長棒１２６ｂの先端は、舌部１２２ｇの突起１２２ｈ、１２２ｉの間に配置され、突起１２２ｈ、１２２ｉとは像ぶれ補正時には当接しないように隙間を有している。駆動体１２６は、巻きバネ１２７により、図１０で反時計回りに付勢されている。
【００４３】
短棒１２６ｃの光軸方向像側には、地板１０１（図２）に取り付けられた細長い駆動片１２８が配置されている。駆動片１２８は、物体側先端に斜面１２８ａを有しており、沈胴に際し、第２保持筒１１１が地板１０１に接近した時に、斜面１２８ａが短棒１２６ｃに当接する位置となっている。駆動体１２６と駆動片１２８とで、第２駆動部が構成されている。
【００４４】
撮像時の像ぶれ補正動作について説明する。図７（ａ）、図８（ａ）において、撮像時に、不図示の加速度センサ等からの信号に応じて、第２レンズ群Ｌ２をＸ方向に移動させようとする場合、第１コイルＣＬ１に給電することで、第１マグネットＭＧとの間にローレンツ力Ｆｘを発生させ、移動体１２２を第２レンズ群Ｌ２とともにＸ方向に移動させることができる。
【００４５】
このとき、移動体１２２の移動に伴って、第１のスライダ１２３は、舌部１２２ｇの先端側で係合する第１のガイド軸１２０に対してＸ方向に相対移動し、第２のスライダ１２４は、第２のガイド軸１２１に対してＸ方向に相対移動する。スライダ１２３，１２４は断面コ字状であるので、連結部１２３ｃ、１２４ｃに制限されない限り、ガイド軸１２０，１２１に対して自由に相対移動可能である。又、移動体１２２は長孔１２２ｆに沿ってＸ方向に摺動して移動するので、支軸１２５は移動体１２２の移動を阻害することはない。第２レンズ群Ｌ２のＸ方向の移動量は、第１ホール素子ＨＥ１により検出され、これによりフィードバック制御を行える。
【００４６】
一方、不図示の加速度センサ等からの信号に応じて、第２レンズ群Ｌ２をＹ方向に移動させようとする場合、第２コイルＣＬ２に給電することで、第２マグネットＭＧ２との間にローレンツ力Ｆｙを発生させる。しかるに、移動体１２２は支軸１２５により枢支されているので、Ｙ方向に変位せず、その代わりに支軸１２５を中心として時計回り（もしくは反時計回り）に回動することとなる。このとき第１コイルＣＬ１に対しても給電を行うと、移動体１２２をＸ方向にも移動させることが出来るから、移動体１２２の揺動量に応じた所定量の給電とすることで、Ｘ方向分をキャンセルし、第２レンズ群Ｌ２をＹ方向にのみ移動させることができる。第２レンズ群Ｌ２のＹ方向の移動量は、第２ホール素子ＨＥ２により検出され、これによりフィードバック制御を行える。すなわち、第１コイルＣＬ１及び第２コイルＣＬ２への給電量を適宜制御することで、第２レンズ群Ｌ２を光軸に直交する面内で移動させることができる。
【００４７】
このような移動体１２２の回動及び摺動によって、第１のスライダ１２３は、第１のガイド軸１２０に対して相対移動し、第２のスライダ１２４は、第２のガイド軸１２１に対して相対移動して、第２レンズ群Ｌ２を光軸に直交する面内で移動させて、像ぶれ補正が行われる。像ぶれ補正は、駆動体１２６の長棒１２６ｂが突起１２２ｈ、１２２ｉに当接しない範囲内で行われる。
【００４８】
次に、沈胴時の動作について説明する。図１０（ａ）において、撮影時、すなわち沈胴していない状態では、駆動片１２８は、点線の位置にあり駆動体１２６の短棒１２６ｃとは離間している。ここで、沈胴のための第１回転筒１０５の回転により、第２保持筒１１１が地板１０１に接近してくると、駆動片１２８の斜面１２８ａに短棒１２６ｃの先端が当接し、斜面１２８ａが短棒１２６ｃを押すことで、駆動体１２６は、巻きバネ１２７の付勢力に抗して、図１０で時計回りに回動する。すると、長棒１２６ｂが突起１２２ｈを押すことで、図８に示すように、移動体１２２が支軸１２５を中心に大きく回動する。このとき、第２のスライダ１２４は第２のガイド軸１２１より離脱し、第２保持筒１１１に形成されたガイド部１２９に係合し、第１のスライダ１２３は、舌部１２２ｇの奥側に移動して第１のガイド軸１２０に係合した状態を維持するので、移動体１２２はスムーズに大きな回動を行うことができる。これにより、第２レンズ群Ｌ２を像ブレ補正時よりも大きく光軸直交方向に退避させることができる。
【００４９】
第２保持筒１１１の外周の一部は切り欠かれており、図８に示すように、移動体１２２が沈胴状態になったとき、かかる切欠部から筒部１２２ａの一部をはみ出させるようになっており、これにより第２保持筒１１１の外径を小さく抑えつつも、第２レンズ群Ｌ２の大きな退避を確保している。
【００５０】
一方、撮像状態に復帰する場合、第１回転筒１０５の逆回転により、駆動片１２８から第２保持筒１１１が離間すると、短棒１２６ｃが斜面１２８ａから離脱する。これにより、巻きバネ１２７の付勢力が有効となり、長棒１２６ｂを図１０で反時計回りに回動させるので、長棒１２６ｂが突起１２２ｉを押すことで、移動体１２２が変位し、第２レンズ群Ｌ２の光軸を、他のレンズ群の光軸近傍に復帰させることができる。
【００５１】
本実施形態によれば、像ぶれ補正時には、移動体１２２を支軸１２５に対して第１駆動部で回動及び摺動させて光軸に直交する面内で移動させ、沈胴時には、第２駆動部で機械的に移動体１２２を支軸１２５回りに大きく回動させるので、支軸１２５を共通に用いることで、移動体１２２のが簡素化できる。これにより移動部１２２の質量を小さくでき、像ぶれ補正時の消費電力が低減されると共に、沈胴時には機械的に退避させるので、省エネを図ることができる。
【００５２】
好ましい態様について説明する。前記第１駆動部は、電磁力により駆動するものであり、前記第２駆動部は機械的係合により駆動するものであることが好ましい。これにより、沈胴時には電力消費なしにレンズ枠を回動させることができる。
【００５３】
沈胴時に、前記レンズ枠は前記移動鏡筒の外周からはみ出すことが好ましい。これにより、前記移動鏡筒の外径を小さく出来、コンパクト化を図れる。
【００５４】
本発明は、明細書に記載の実施態様に限定されるものではなく、他の実施態様・変形例を含むことは、本明細書に記載された実施態様や技術思想から本分野の当業者にとって明らかである。明細書の記載及び実施例は、あくまでも例証を目的としており、本発明の範囲は後述するクレームによって示されている。
【符号の説明】
【００５５】
１              デジタルカメラ
２              撮像部
３              カメラ本体部
４              フラッシュ発光部
５              シャッタボタン
６              表示部
８              切換スイッチ
９              ズームスイッチ
１００            レンズユニット
１０１            地板
１０１ａ          開口
１０２            ＩＲカットフィルタ
１０４            固定筒
１０５            第１回転筒
１０６            第１直進案内
１０７            第２直進案内
１０８            第１保持筒
１０９            第２回転筒
１１０            直進キーリング
１１１            第２保持筒
１１１ａ          突出部
１１１ｂ          円筒部
１１２            シャッタ機構
１１３            第３保持筒
１２０            第１ガイド軸
１２１            第２ガイド軸
１２２            移動体
１２２ａ          筒部
１２２ｂ          板部
１２２ｃ          第１領域
１２２ｄ          第２領域
１２２ｅ          ボス部
１２２ｆ          長孔
１２２ｇ          舌部
１２２ｈ          突起
１２２ｉ          突起
１２３            第１スライダ部
１２３ａ          側面部
１２３ｃ          連結部
１２３ｄ          滑り軸受
１２４            第２スライダ部
１２４ａ          側面部
１２４ｃ          連結部
１２４ｄ          滑り軸受
１２５            支軸
１２６            駆動体
１２６ａ          リング部
１２６ｂ          長棒
１２６ｃ          短棒
１２７            バネ
１２８            駆動片
１２８ａ          斜面
１２９            ガイド部
ＣＬ１            第１コイル
ＣＬ２            第２コイル
ＨＥ１            第１ホール素子
ＨＥ２            第２ホール素子
Ｌ１〜Ｌ３        レンズ群
ＭＧ１            第１マグネット
ＭＧ２            第２マグネット
Ｏ                光軸
【図１】
2014156632.tif 000003
【図２】
2014156632.tif 000004
【図３】
2014156632.tif 000005
【図４】
2014156632.tif 000006
【図５】
2014156632.tif 000007
【図６】
2014156632.tif 000008
【図７】
2014156632.tif 000009
【図８】
2014156632.tif 000010
【図９】
2014156632.tif 000011
【図１０】
2014156632.tif 000012
【国際調査報告】
2014156632.tif 000013
2014156632.tif 000014